(57)【要約】【課題】  段積み作業の作業効率の低下を回避した上で、段積みされた段ボール箱の天面と底面とに設けられた滑り止め部材の機能低下や破損を確実に防止することができ、さらに、保管コストの高騰を抑制する。【解決手段】  段ボール紙５０を直方体状に組み立てることにより形成されたものであり、段ボール箱本体２０の天面および底面のいずれか一方（実施形態においては底面）に少なくとも１つ（実施形態においては４つ）の係止孔３３が設けられる一方、他方（実施形態においては天面）に前記係止孔３３と対応した当該係止孔３３が外嵌する凸部４３が設けられている。【選択図】      図１
2005132407.tif 000002
【特許請求の範囲】
【請求項１】
段ボール紙を直方体状に組み立てることにより形成された段ボール箱において、箱本体の天面および底面のいずれか一方に少なくとも１つの凸部が設けられる一方、他方に前記凸部と対応した当該凸部が嵌まり込む凹部が設けられ、前記天面は、前記箱本体の上面開口を閉止する天面側外フラップにより形成され、前記底面は、前記箱本体の底面開口を閉止する底面側外フラップにより形成されていることを特徴とする段ボール箱。
【請求項２】
前記凸部は、当該凸部となる部分の周りがプレス処理されることにより形成されているとともに、前記凹部は、当該凹部となる部分がプレス処理されることにより形成されていることを特徴とする請求項１記載の段ボール箱。
【請求項３】
前記凸部は、当該凸部となる部分の周りがプレス処理されることにより形成されているとともに、前記凹部は、当該凹部となる部分が打ち抜き処理されることにより形成されていることを特徴とする請求項１記載の段ボール箱。
【請求項４】
前記凸部となる部分と、その周りとの境界位置は、凸部となる部分の厚みの一部を残して切り込みを入れる半切り処理が施されていることを特徴とする請求項１乃至３のいずれかに記載の段ボール箱。
【発明の詳細な説明】
【技術分野】
【０００１】
本発明は、段ボール紙を直方体状に組み立てることによって形成される段ボール箱に関するものである。
【背景技術】
【０００２】
従来、特許文献１に記載されているような段ボール箱が知られている。この段ボール箱は、平面視で矩形状の段ボール箱本体と、この段ボール箱本体の互いに対向する上縁部から折り返される一対の天面側内フラップと、同この天面側内フラップに重ねられる天面側外フラップと、前記段ボール箱本体の互いに対向する下縁部から折り返される一対の底面側内フラップと、同この底面側内フラップに重ねられる底面側外フラップとからなる基本構成を有している。
【０００３】
そして、天面側外フラップには、外方へ向けて切り起こすことによって形成された所定個数の切起し片が設けられている一方、底面側外フラップには、天面側外フラップに対応した係止孔が設けられている。
【０００４】
かかる段ボール箱によれば、底面側の内外のフラップを閉じて底を形成した状態の段ボール箱本体内に物品を装填し、天面側の内外のフラップを閉じて包装処理を行った後、当該段ボール箱の複数個を段積みしたとき、下位の段ボール箱の天面側外フラップの切起し片が上位の段ボール箱の底面側外フラップの係止孔に嵌まり込むため、上位の段ボール箱は滑り止めされた状態になり、これによって積み重ねられた段ボール箱の荷崩れが有効に防止される。
【特許文献１】特開２０００−１９０９７１号公報
【発明の開示】
【発明が解決しようとする課題】
【０００５】
しかしながら、特許文献１にあるような段ボール箱においては、段積み作業を行うに際しプレス処理で形成された天面側外フラップと面一状態の切起し片を一々起こす作業を行わなければならず、これによって段積み作業の作業効率が著しく低下するという問題点を有している。
【０００６】
かかる不都合を解消するために、プレス処理で形成された切起し片を予め起こしておくことが考えられるが、このようにすると起こされた切起し片は、段ボール紙が一縁部を介して折り曲げられた状態になっているため、必ずしも構造的に丈夫なものではなく、取り扱い中に異物と干渉して剥がれ落ちてしまうことがあり、確実性に乏しいという問題点が発生する。
【０００７】
さらに、切起し片を予め起こしておくと、折り畳まれた状態の段ボール箱を積み重ねて保管するに際し、切起し片の存在によって積層状態の段ボール箱が嵩張ってしまい、保管コストが嵩むという不都合も生じる。
【０００８】
本発明は、上記のような状況に鑑みなされたものであって、段積み作業の作業効率の低下を回避した上で、段積みされた段ボール箱の天面と底面とに設けられた滑り止め用の突起の機能低下や破損を確実に防止することができ、さらに、保管コストの高騰を抑制することが可能な段ボール箱を提供することを目的としている。
【課題を解決するための手段】
【０００９】
請求項１記載の発明は、段ボール紙を直方体状に組み立てることにより形成された段ボール箱において、箱本体の天面および底面のいずれか一方に少なくとも１つの凸部が設けられる一方、他方に前記凸部と対応した当該凸部が嵌まり込む凹部が設けられ、前記天面は、前記箱本体の上面開口を閉止する天面側外フラップにより形成され、前記底面は、前記箱本体の底面開口を閉止する底面側外フラップにより形成されていることを特徴とすものである。
【００１０】
この発明において、凸部とは、箱本体の天面または底面の所定範囲内の部分が全体的に膨出するように地の面から盛り上がった状態のものであり、天面または底面の一部を切り起すことによって形成されたようなものは含まない。
【００１１】
この発明によれば、物品の包装に供した段ボール箱を段積み状態で積み重ねると、上位の段ボール箱の底面に形成された凸部または凹部が、下位の段ボール箱の天面に形成された凹部または凸部に嵌まり込むため、これら凸部と凹部との嵌り合いによって上位の段ボール箱の下位段ボール箱天面における滑りが確実に防止され、この滑り止めにより上位の段ボール箱が滑って落下するような不都合が回避される。
【００１２】
そして、従来のように凸部が切起し片である場合には、当該切起し片は基端側の一辺を支点にして容易に回動し得るため、天面部材からの突出状態が不安定であるばかりか、構造的に丈夫でなく、切り起し状態の解消や破損によって上位の段ボール箱の充分な滑り滑り止め効果を得ることができないという欠点が存在するのに対し、この発明の凸部は、切起し片ではなく単に突出したものであるため、構造的に極めて安定しており、破損するようなことは起こらず、確実な滑り止め効果を得ることができる。
【００１３】
また、天面側外フラップは実質的に段ボール箱本体の天面を形成するものであるとともに、底面側外フラップは実質的に段ボール箱の底面を形成するものであるため、これら天面側外フラップおよび底面側外フラップに凸部または凹部を形成させることにより、段ボール箱の天面および底面に凸部または凹部が形成される。
【００１４】
請求項２記載の発明は、請求項１記載の発明において、前記凸部は、当該凸部となる部分の周りがプレス処理されることにより形成されているとともに、前記凹部は、当該凹部となる部分がプレス処理されることにより形成されていることを特徴とするものである。
【００１５】
この発明によれば、段ボール箱の天面および底面の凸部または凹部は、段ボール箱の製造工程において天面用および底面用の段ボール紙製の部材にプレス処理を施すことのみによって形成させることができるため、従来のように天面部材に切り起しで切起し片を形成させる場合には、段ボール箱の段積み作業に先立って切り起し片を一々起こす作業を行わなければならず、作業効率が大幅に低下するという不都合が生じるが、この発明ではこのような不都合の生じることがない。
【００１６】
請求項３記載の発明は、請求項１記載の発明において、前記凸部は、当該凸部となる部分の周りがプレス処理されることにより形成されているとともに、前記凹部は、当該凹部となる部分が打ち抜き処理されることにより形成されていることを特徴とするものである。
【００１７】
この発明によれば、凹部が打ち抜き処理で形成されているため、凹部の輪郭が他の部分と明確に区画され、凸部の凹部への嵌り合せがより確実に行われる。
【００１８】
請求項４記載の発明は、請求項１乃至３のいずれかに記載の発明において、前記凸部となる部分と、その周りとの境界位置は、凸部となる部分の厚みの一部を残して切り込みを入れる半切り処理が施されていることを特徴とするものである。
【００１９】
この発明によれば、凸部は、その輪郭が半切り処理によって他の部分と明確に区画され、凸部の凹部への嵌り合せがより確実に行われる。
【発明の効果】
【００２０】
請求項１記載の発明によれば、凸部と凹部との嵌り合いによって上位の段ボール箱の下位段ボール箱天面における滑りが確実に防止されるため、上位の段ボール箱が滑って落下するような不都合を確実に回避することができる。また、凸部は、切起し片のような脆弱なものではなく、構造的に極めて安定しているため、段積み作業中に破損するようなことは起こらず、確実な滑り止め効果を得ることができる。
【００２１】
また、天面側外フラップおよび底面側外フラップに凸部または凹部を形成させることにより、段ボール箱の天面および底面に凸部または凹部を形成させることができる。
【００２２】
請求項２記載の発明によれば、従来のように天面部材に切り起しで凸部を形成させる場合には、段ボール箱の段積み作業に先立って切り起し片を一々起こす作業を行わなければならず、作業効率が大幅に低下するという不都合が生じるが、かかる不都合の発生を確実に防止することができる。
【００２３】
請求項３記載の発明によれば、凹部が打ち抜き処理で形成されているため、凹部の輪郭が他の部分と明確に区画され、凸部の凹部への嵌り合せをより確実なものにすることができる。
【００２４】
請求項４記載の発明によれば、凸部は、その輪郭が半切り処理によって他の部分と明確に区画され、凸部の凹部への嵌り合せをより確実なものにすることができる。
【発明を実施するための最良の形態】
【００２５】
図１は、本発明に係る段ボール箱１０の一実施形態を示す斜視図であり、天面フラップ４０および底面フラップ３０の双方が開放された状態を示している。また、図２は、図１に示す段ボール箱１０の天面フラップ４０および底面フラップ３０の双方が閉止された状態を示す斜視図であり、段ボール箱１０が積み重ねられる直前の状態を示している。さらに図３は、図２に示す段ボール箱１０が積み重ねられた状態を示す一部切欠き斜視図である。なお、図３において、上位の段ボール箱１０の内容物の図示は省略している。また、通常、段ボール箱１０は、内容物が装填された状態で蓋が開かないようにガムテープが貼着されたり、ステープル処理が施されたりするが、図２および図３ではこれらの図示を省略している。
【００２６】
まず、図１に示すように、段ボール箱１０は、所定の形状に裁断された段ボール紙を組み立てることによって形成されるものであり、平面視で矩形状を呈した直方体状の段ボール箱本体２０と、この段ボール箱本体２０の底面の開口を閉止する底面フラップ３０と、段ボール箱本体２０の天面開口を閉止する天面フラップ４０とを備えた基本構成を有している。
【００２７】
前記段ボール箱本体２０は、本実施形態においては、互いに対向した一対の短尺側板２１と、水平方向の長さ寸法がこの短尺側板２１より若干長い互いに対向した一対の長尺側板２２とから角筒状に形成されている。これら短尺側板２１および長尺側板２２の上下寸法は同一に設定されている。なお、本発明は、側板として長さ寸法の異なる短尺側板２１および長尺側板２２を採用することに限定されるものではなく、平面視で正方形状になるように各側板の水平方向の長さ寸法を同一に設定してもよい。
【００２８】
前記底面フラップ３０は、各短尺側板２１の下縁部から折り曲げ可能に延設された一対の底面側内フラップ３１と、各長尺側板２２の下縁部から折り曲げ可能に延設された底面側外フラップ３２とからなっている。各底面側内フラップ３１は、短尺側板２１からの突出量が長尺側板２２の横寸法より短めに設定され、これによって各底面側内フラップ３１を対向方向に折り曲げた状態で、互いの先端縁部間に所定寸法の隙間が形成されるようになっている。
【００２９】
これに対し、各底面側外フラップ３２は、長尺側板２２からの突出量が短尺側板２１の横寸法の略１／２に設定され、これによって各底面側外フラップ３２を互いに対向方向に折り曲げることにより、図２に示すように各底面側外フラップ３２の先端縁部同士が互いに当接し合うようになっている。
【００３０】
前記天面フラップ４０は、先の底面フラップ３０と同一に構成され、かつ、同一に寸法設定されている。念のために説明すると、天面フラップ４０は、各短尺側板２１の上縁部から折り曲げ可能に延設された一対の天面側内フラップ４１と、各長尺側板２２の上縁部から折り曲げ可能に延設された天面側外フラップ４２とからなっている。各天面側内フラップ４１は、短尺側板２１からの突出量が長尺側板２２の横寸法より短めに設定され、これによって各天面側内フラップ４１を対向方向に折り曲げた状態で、互いの先端縁部間に所定寸法の隙間が形成されるようになっている。
【００３１】
これに対し、各天面側外フラップ４２は、長尺側板２２からの突出量が短尺側板２１の横寸法の略１／２に設定され、これによって各天面側外フラップ４２を互いに対向方向に折り曲げた状態で、図２に示すように各天面側外フラップ４２の先端縁部同士が互いに当接し合うようになっている。
【００３２】
そして、前記各底面側外フラップ３２には、その外面側で横方向に並設された各２つの係止孔３３がそれぞれ形成されている一方、前記各天面側外フラップ４２には、前記各一対の係止孔３３と対応した外方に向かって突出する凸部４３が穿設されている。本実施形態においては、各係止孔３３および各係止孔４３は矩形状に形成されているが、本発明は、係止孔３３が矩形状であることに限定されるものではなく、円形や三角形であってもよいし、星型などの異形であってもよい。
【００３３】
前記凸部４３は、係止孔３３と対応するように当該係止孔３３より若干小さめの矩形状に設定され、これによって一の段ボール箱１０に他の段ボール箱１０を重ね合わせた状態で、図３に示すように、各係止孔３３が凸部４３に外嵌し、これによって複数の段ボール箱１０が段積みされた状態で、上位の段ボール箱１０が下位の段ボール箱１０に対して位置ずれしたり、滑り落ちることが確実に防止されるようになっている。
【００３４】
前記係止孔３３は、段ボール箱１０の製造工程において、所定の裁断機によって底面側外フラップ３２打ち抜き処理が施されることによって形成されるのに対し、前記凸部４３は、プレスマシン７０（図４）によって天面側外フラップ４２にプレス処理が施されることによって形成されている。。
【００３５】
図４は、凸部４３の形成方法の一実施形態を説明するための部分拡大説明図であり、（イ）は、天面側外フラップ４２を構成する段ボール紙５０が半切り処理されつつある状態、（ロ）は、段ボール紙５０に切れ目５３が形成された状態、（ハ）は、段ボール紙５０にプレス処理が施されつつある状態、（ニ）は、段ボール紙５０に凸部４３が形成された状態をそれぞれ示している。
【００３６】
本実施形態においては、段ボール箱１０を形成するための段ボール紙５０として、図４に示すように、表層段ボール紙５１と、この表層段ボール紙５１の裏面側に所定の接着剤を介して積層された裏層段ボール紙５２とからなる二層構造のものが採用されている。因みに、図４に示す段ボール紙５０は、かかる段ボール紙５０の内の天面側外フラップ４２の部分を示している。
【００３７】
そして、天面側外フラップ４２に凸部４３を形成させるに際しては、このような天面側外フラップ４２の段ボール紙５０の表層段ボール紙５１に、凸部４３の輪郭線に沿った切れ目５３（図４の（ロ））が、表層段ボール紙５１の裏面側の紙１枚を残して裁断する、いわゆる半切り処理によって形成される。
【００３８】
表層段ボール紙５１にかかる半切り処理を施すために、図４の（イ）に示すように、所定の裁断機６０（図４の（イ）には裁断機６０の一部のみを示している）が使用される。そして、基台Ｂに載置された段ボール紙５０に対して当該裁断機６０の駆動で凸部４３の輪郭線に対応した角形の裁断刃６１が半切り処理を行うように下降され、これによって表層段ボール紙５１に、図４の（ロ）に示すような切れ目５３が形成される。
【００３９】
ついで、かかる切れ目５３の形成された表層段ボール紙５１に対して、図４の（ハ）に示すように、切れ目５３の外側に対してプレスマシン７０（図４の（ハ）にはプレスマシン７０の一部のみを示している）によるプレス処理が施されれる。プレスマシン７０は、前記切れ目５３の内側に対応した部分にキャビティ７２を備えた下面が平面の金型７１を有しており、プレスマシン７０の駆動による金型７１の下降によって表層段ボール紙５１の切れ目５３より外側部分のみが表層段ボール紙５１の略厚み分だけプレスされるようになっている。
【００４０】
したがって、プレスマシン７０によるプレス処理が天面側外フラップ４２部分の段ボール紙５０に施されることにより、図４の（ニ）に示すように、天面側外フラップ４２には、表層段ボール紙５１における切れ目５３の外側部分が圧縮して表層段ボール紙５１の内側部分が突出した凸部４３が形成されることになる。
【００４１】
以上詳述したように、本発明に係る段ボール箱１０は、段ボール紙５０を直方体状に組み立てることにより形成されたものであり、段ボール箱本体２０の天面および底面のいずれか一方（本実施形態においては底面）に少なくとも１つ（本実施形態においては４つ）の係止孔３３が設けられる一方、他方（本実施形態においては天面）に前記係止孔３３と対応した当該係止孔３３が嵌まり込む凸部４３が設けられているため、物品の包装に供した段ボール箱１０を段積み状態で積み重ねると、上位の段ボール箱１０の底面に形成された係止孔３３が、下位の段ボール箱１０の天面に形成された凸部４３に外嵌するため、これら係止孔３３と凸部４３との嵌り合いにより上位の段ボール箱１０の下位段ボール箱１０天面における滑りが確実に防止され、この滑り止めによって上位の段ボール箱１０が滑って落下するような不都合を確実に防止することができる。
【００４２】
そして、凸部４３が従来の切起し片である場合には、当該切起し片はその一辺を支点にして容易に回動し得るようになっているため、天面からの突出状態が不安定であるばかりか、構造的に丈夫でないため、切り起し状態の解消や破損によって上位の段ボール箱１０の充分な滑り滑り止め効果を得ることができないという欠点が存在するのに対し、本発明の凸部４３は、切起し片ではなく単に天面から突出したものであるため、構造的に極めて安定しており、破損するようなことは起こらず、確実な滑り止め効果を得ることができる。
【００４３】
そして、本実施形態においては、段ボール箱１０の天面は、段ボール箱本体２０の上面開口を閉止する天面側外フラップ４２により形成され、底面は、段ボール箱本体２０の底面開口を閉止する底面側外フラップ３２により形成され、天面側外フラップ４２は実質的に段ボール箱本体２０の天面を形成するものであるとともに、底面側外フラップ３２は実質的に段ボール箱１０の底面を形成するものであるため、これら天面側外フラップ４２に凸部４３を設ける一方、底面側外フラップ３２に係止孔３３を形成させることにより、段ボール箱１０の天面および底面に凸部４３および底面側外フラップ３２をそれぞれ容易に形成することができる。
【００４４】
また、凸部４３は、天面側外フラップ４２を構成する段ボール紙５０において当該凸部４３となる部分の周りがプレスマシン７０によりプレス処理されることによって形成されているとともに、係止孔３３は、底面側外フラップ３２を構成する段ボール紙５０において当該係止孔３３となる部分が裁断機によって裁断処理されることにより形成されているため、従来のように天面に切り起しで切起し片を形成させる場合には、段ボール箱１０の段積み作業に先立って切り起し片を一々起こす作業を行わなければならず、作業効率が大幅に低下するという不都合が生じるが、この発明ではこのような不都合が生じることはなく、段積み作業の作業効率を大幅に向上させることができる。
【００４５】
また、天面側外フラップ４２における凸部４３となる部分と、その周りとの境界位置は、凸部４３となる部分の厚みの一部を残して切り込みを入れる半切り処理が施されているため、凸部４３は、その輪郭が半切り処理によって他の部分と明確に区画され、係止孔３３の凸部４３への嵌り合せをより確実に行うことができる。
【００４６】
本発明は、上記の実施形態に限定されるものではなく、以下の内容をも包含するものである。
【００４７】
（１）上記の実施形態においては、凸部４３が段ボール紙５０のプレス処理によって形成されているが、本発明は、凸部４３をプレス処理によって形成させることに限定されるものではなく、段ボール紙の切れ端を天面側外フラップ４２に貼着することによって凸部を形成させてもよい。
【００４８】
（２）上記の実施形態においては、底面側外フラップ３２に係止孔３３が設けられている一方、天面側外フラップ４２に凸部４３が設けられているが、こうする代わりに底面側外フラップ３２に凸部４３を設け、天面側外フラップ４２に係止孔３３を設けるようにしてもよい。
【００４９】
（３）上記の実施形態においては、底面側外フラップ３２に本発明に係る凹部としての係止孔３３が設けられているが、本発明は、凹部が係止孔３３であることに限定されるものではなく、文字どおりの凹部であってもよい。この場合、凹部は上記の実施形態における凸部４３と同様に底面側外フラップ３２にプレス処理を施すことによって形成することができる。
【００５０】
（４）上記の実施形態においては、天面側外フラップ４２にプレス処理によって凸部４３を形成させるに先立ち、凸部４３の輪郭となる部分に半切り処理を施しているが、本発明は、半切り処理を行うことに限定されるものではなく、特に行わなくてもよい。
【図面の簡単な説明】
【００５１】
【図１】本発明に係る段ボール箱の一実施形態を示す斜視図であり、天面フラップおよび底面フラップの双方が開放された状態を示している。
【図２】図１に示す段ボール箱の天面フラップおよび底面フラップの双方が閉止された状態を示す斜視図であり、段ボール箱が積み重ねられる直前の状態を示している。
【図３】図２に示す段ボール箱が積み重ねられた状態を示す一部切欠き斜視図である。
【図４】凸部の形成方法の一実施形態を説明するための部分拡大説明図であり、（イ）は、天面側外フラップを構成する段ボール紙が半切り処理されつつある状態、（ロ）は、段ボール紙に切れ目が形成された状態、（ハ）は、段ボール紙にプレス処理が施されつつある状態、（ニ）は、段ボール紙に凸部が形成された状態をそれぞれ示している。
【符号の説明】
【００５２】
１０  段ボール箱
２０  段ボール箱本体
２１  短尺側板
２２  長尺側板
３０  底面フラップ
３１  底面側内フラップ
３２  底面側外フラップ
３３  係止孔
４０  天面フラップ
４１  天面側内フラップ
４２  天面側外フラップ
４３  凸部
５０  段ボール紙
５１  表層段ボール紙
５２  裏層段ボール紙
５３  切れ目
６０  裁断機
６１  裁断刃
７０  プレスマシン
７１  金型
７２  キャビティ
Ｂ  基台
【図１】
2005132407.tif 000003
【図２】
2005132407.tif 000004
【図３】
2005132407.tif 000005
【図４】
2005132407.tif 000006